(57)【要約】  通信プロトコルによって規定された１つまたは複数の第２の送信モードと比較して、広域通信を提供する１つまたは複数の第１の送信モードを規定する通信プロトコルに従って動作する無線通信ネットワークにおいて、通信デバイスは、無線通信ネットワークにおいて送信するとき、１つまたは複数の第１の送信モードが使用されるべきではないことを示す情報を含む通信フレームを生成する。通信デバイスは、無線通信ネットワーク内での送信の際に、１つまたは複数の第１の送信モードを使用しないように無線通信ネットワーク内の１つまたは複数の他の通信デバイスに指示するために通信フレームを送信する。
2020504564.tif 000002
【特許請求の範囲】
【請求項１】
通信プロトコルによって規定された１つまたは複数の第２の送信モードと比較して、拡張範囲通信を提供する１つまたは複数の第１の送信モードを規定する前記通信プロトコルに従って動作する無線通信ネットワークにおける方法であって、
前記無線通信ネットワーク内での送信の際に前記１つまたは複数の第１の送信モードを使用すべきではないことを示す情報を含む通信フレームを通信デバイスにおいて生成する段階と、
前記無線通信ネットワーク内での送信の際に、前記１つまたは複数の第１の送信モードを使用しないように前記無線通信ネットワーク内の１つまたは複数の他の通信デバイスに指示するために前記通信デバイスが前記通信フレームを送信する段階と
を備える方法。
【請求項２】
前記通信プロトコルは、拡張範囲通信を提供するための拡張範囲物理層（ＰＨＹ）プロトコルデータユニット（ＰＰＤＵ）フォーマットを含む複数のＰＰＤＵフォーマットを規定し、
前記１つまたは複数の第１の送信モードは前記拡張範囲ＰＰＤＵフォーマットを含む、
請求項１に記載の方法。
【請求項３】
前記通信プロトコルはデュアルキャリア変調（ＤＣＭ）モードを規定し、
前記１つまたは複数の第１の送信モードは前記デュアルキャリア変調（ＤＣＭ）モードを含む、
請求項１または２に記載の方法。
【請求項４】
前記通信プロトコルは、複数の異なるデータレートに対応する複数の変調符号化方式（ＭＣＳ）を規定し、
前記１つまたは複数の第１の送信モードは、前記複数のＭＣＳのうちの１つまたは複数の第２のＭＣＳと比較して、ｉ）１つまたは複数のより低いデータレートに対応し、且つ、ｉｉ）より長距離の通信を容易にする、１つまたは複数の第１のＭＣＳを含む、
請求項１から３の何れか一項に記載の方法。
【請求項５】
前記通信プロトコルは、ｉ）複数の変調符号化方式（ＭＣＳ）を規定し、且つ、ｉｉ）異なる数の空間ストリームの使用を可能にし、
前記１つまたは複数の第１の送信モードは、１組または複数組のＭＣＳ／いくつかの空間ストリームの組み合わせを含み、前記１つまたは複数の第１の送信モードにおける前記ＭＣＳ／いくつかの空間ストリームの組み合わせ内の１つまたは複数の第１のＭＣＳは、所与の数の空間ストリームについて、前記複数のＭＣＳのうちの１つまたは複数の第２のＭＣＳと比較して、ｉ）１つまたは複数のより低いデータレートに対応し、且つ、ｉｉ）より長距離の通信を容易にする、
請求項１から４の何れか一項に記載の方法。
【請求項６】
前記無線通信ネットワーク内での送信の際に前記１つまたは複数の第１の送信モードを使用すべきではないことを示す前記情報は、前記無線通信ネットワーク内で少なくともいくつかのメディアアクセス制御層（ＭＡＣ）制御フレームおよび／またはＭＡＣ管理フレームを送信するときに前記１つまたは複数の第１の送信モードを使用すべきではないことを示す、
請求項１から５の何れか一項に記載の方法。
【請求項７】
前記無線通信ネットワーク内での送信の際に前記１つまたは複数の第１の送信モードを使用すべきではないことを示す前記情報は、前記無線通信ネットワーク内でデータフレームを送信するときに前記１つまたは複数の第１の送信モードを使用すべきではないことを示す、
請求項１から６の何れか一項に記載の方法。
【請求項８】
前記通信フレームは、メディアアクセス制御層（ＭＡＣ）プロトコルデータユニットであり、
前記方法は、前記ＭＡＣプロトコルデータユニットを含む物理層（ＰＨＹ）プロトコルデータユニット（ＰＰＤＵ）を前記通信デバイスにおいて生成する段階をさらに備え、
前記通信フレームを送信する段階は、前記ＰＰＤＵを送信する段階を有する、
請求項１から７の何れか一項に記載の方法。
【請求項９】
前記１つまたは複数の第１の送信モードは、１つまたは複数の第１の物理層（ＰＨＹ）プロトコル送信モードを含み、
前記１つまたは複数の第２の送信モードは、１つまたは複数の第２のＰＨＹプロトコル送信モードを含む、
請求項１から８の何れか一項に記載の方法。
【請求項１０】
通信デバイスに関連付けられるネットワークインタフェースデバイスを備えた装置であって、前記ネットワークインタフェースデバイスは、
無線通信ネットワーク内での送信の際に、１つまたは複数の第１の送信モードを使用すべきではないことを示す情報を含む通信フレームを生成するように構成されている１つまたは複数の集積回路（ＩＣ）を有し、前記無線通信ネットワークは、前記１つまたは複数の第１の送信モードおよび１つまたは複数の第２の送信モードを規定する通信プロトコルに従って動作し、前記１つまたは複数の第１の送信モードは、前記１つまたは複数の第２の送信モードと比較して拡張範囲通信を提供し、前記１つまたは複数のＩＣは、前記無線通信ネットワーク内での送信の際に前記１つまたは複数の第１の送信モードを使用しないように前記無線通信ネットワーク内の１つまたは複数の他の通信デバイスに指示するために前記通信フレームを送信するようにさらに構成されている、装置。
【請求項１１】
前記通信プロトコルは、拡張範囲通信を提供するための拡張範囲物理層（ＰＨＹ）プロトコルデータユニット（ＰＰＤＵ）フォーマットを含む複数のＰＰＤＵフォーマットを規定し、
前記１つまたは複数の第１の送信モードは前記拡張範囲ＰＰＤＵフォーマットを含む、
請求項１０に記載の装置。
【請求項１２】
前記通信プロトコルは、デュアルキャリア変調（ＤＣＭ）モードを規定し、
前記１つまたは複数の第１の送信モードは、前記デュアルキャリア変調（ＤＣＭ）モードを含む、
請求項１０または１１に記載の装置。
【請求項１３】
前記通信プロトコルは、複数の異なるデータレートに対応する複数の変調符号化方式（ＭＣＳ）を規定し、
前記１つまたは複数の第１の送信モードは、前記複数のＭＣＳのうちの１つまたは複数の第２のＭＣＳと比較して、ｉ）１つまたは複数のより低いデータレートに対応し、且つ、ｉｉ）より長距離の通信を容易にする、１つまたは複数の第１のＭＣＳを含む、
請求項１０から１２の何れか一項に記載の装置。
【請求項１４】
前記通信プロトコルは、ｉ）複数の変調符号化方式（ＭＣＳ）を規定し、且つ、ｉｉ）異なる数の空間ストリームの使用を可能にし、
前記１つまたは複数の第１の送信モードは、１組または複数組のＭＣＳ／いくつかの空間ストリームの組み合わせを含み、前記１つまたは複数の第１の送信モードにおける前記ＭＣＳ／いくつかの空間ストリームの組み合わせ内の１つまたは複数の第１のＭＣＳは、所与の数の空間ストリームについて、前記複数のＭＣＳのうちの１つまたは複数の第２のＭＣＳと比較して、ｉ）１つまたは複数のより低いデータレートに対応し、且つ、ｉｉ）より長距離の通信を容易にする、
請求項１０から１３の何れか一項に記載の装置。
【請求項１５】
前記無線通信ネットワーク内での送信の際に前記１つまたは複数の第１の送信モードを使用すべきではないことを示す前記情報は、前記無線通信ネットワーク内で少なくともいくつかのメディアアクセス制御層（ＭＡＣ）制御フレームおよび／またはＭＡＣ管理フレームを送信するときに前記１つまたは複数の第１の送信モードを使用すべきではないことを示す、
請求項１０から１４の何れか一項に記載の装置。
【請求項１６】
前記無線通信ネットワーク内での送信の際に前記１つまたは複数の第１の送信モードを使用すべきではないことを示す前記情報は、前記無線通信ネットワーク内でデータフレームを送信するときに前記１つまたは複数の第１の送信モードを使用すべきではないことを示す、
請求項１０から１５の何れか一項に記載の装置。
【請求項１７】
前記通信フレームはメディアアクセス制御層（ＭＡＣ）プロトコルデータユニットであり、前記１つまたは複数のＩＣは、
前記ＭＡＣプロトコルデータユニットを含む物理層（ＰＨＹ）プロトコルデータユニット（ＰＰＤＵ）を生成し、且つ、
前記ＰＰＤＵを送信する
ようにさらに構成されている、
請求項１０から１６の何れか一項に記載の装置。
【請求項１８】
前記１つまたは複数の第１の送信モードは、１つまたは複数の第１の物理層（ＰＨＹ）プロトコル送信モードを含み、
前記１つまたは複数の第２の送信モードは、１つまたは複数の第２のＰＨＹプロトコル送信モードを含む、
請求項１０から１７の何れか一項に記載の装置。
【請求項１９】
前記ネットワークインタフェースデバイスは、
前記１つまたは複数のＩＣデバイス上に実装されている物理層（ＰＨＹ）プロセッサと、
前記ＰＨＹプロセッサに結合され、且つ、前記１つまたは複数のＩＣデバイス上に実装されている媒体アクセス制御（ＭＡＣ）プロセッサと
を有する、請求項１０から１８の何れか一項に記載の装置。
【請求項２０】
前記ＰＨＹプロセッサは、１つまたは複数のトランシーバを含む、請求項１９に記載の装置。
【請求項２１】
前記１つまたは複数のトランシーバに結合されている１つまたは複数のアンテナをさらに備える、請求項２０に記載の装置。
【発明の詳細な説明】
【技術分野】
【０００１】
[関連出願への相互参照]
本出願は、その全体が参照により本明細書に組み入れられる、２０１７年１月９日に出願された、「ＨＥ  Ｍｕｌｔｉｒａｔｅ  Ｓｅｌｅｃｔｉｏｎ  ａｎｄ  ２Ｇ４  ４０ＭＨＺ  ＨＥ  Ｄｅｖｉｃｅｓ」という名称の米国仮特許出願第６２／４４３，９４４号の利益を主張する。
【０００２】
本開示は、一般に無線通信システムに関し、より詳細には無線通信ネットワークにおける送信モードの選択に関する。
【背景技術】
【０００３】
無線ローカルエリアネットワーク（ＷＬＡＮ）は過去１０年間で急速に発展しており、電気電子技術者協会（ＩＥＥＥ）８０２．１１規格ファミリーのようなＷＬＡＮ規格の開発により、シングルユーザ・ピークデータ・スループットが改善した。例えば、ＩＥＥＥ  ８０２．１１ｂ規格は１１メガビット毎秒（Ｍｂｐｓ）のシングルユーザ・ピーク・スループットを指定しており、ＩＥＥＥ  ８０２．１１ａ規格および８０２．１１ｇ規格は５４Ｍｂｐｓのシングルユーザ・ピーク・スループットを指定しており、ＩＥＥＥ  ８０２．１１ｎ規格は６００Ｍｂｐｓのシングルユーザ・ピーク・スループットを指定しており、ＩＥＥＥ  ８０２．１１ａｃ規格はギガビット／秒（Ｇｂｐｓ）の範囲でシングルユーザ・ピーク・スループットを指定している。将来の基準は、数十Ｇｂｐｓの範囲のスループットなど、さらに高いスループットを提供することを約束する。
【発明の概要】
【課題を解決するための手段】
【０００４】
一実施形態では、方法は、通信プロトコルによって規定された１つまたは複数の第２の送信モードと比較して拡張通信を提供する１つまたは複数の第１の送信モードを規定する通信プロトコルに従って動作する無線通信ネットワークにおいて実施される。この方法は、無線通信ネットワーク内での送信の際に、１つまたは複数の第１の送信モードが使用されるべきではないことを示す情報を含む通信フレームを通信デバイスにおいて生成することと、無線通信ネットワーク内での送信の際に、１つまたは複数の第１の送信モードを使用しないように無線通信ネットワーク内の１つまたは複数の他の通信デバイスに指示するために通信デバイスによって通信フレームを送信することと、を含む。
【０００５】
他の実施形態では、方法は、以下の特徴のうちの１つ、または２つ以上の任意の適切な組み合わせをさらに含む。
【０００６】
通信プロトコルは、拡張範囲通信を提供するための拡張範囲物理層（ＰＨＹ）プロトコルデータユニット（ＰＰＤＵ）フォーマットを含む複数のＰＰＤＵフォーマットを規定し、１つまたは複数の第１の送信モードは拡張範囲ＰＰＤＵフォーマットを含む。
【０００７】
通信プロトコルは、デュアルキャリア変調（ＤＣＭ）モードを規定し、１つまたは複数の第１の送信モードは、デュアルキャリア変調（ＤＣＭ）モードを含む。
【０００８】
通信プロトコルは、複数の異なるデータレートに対応する複数の変調符号化方式（ＭＣＳ）を規定し、１つまたは複数の第１の送信モードは、複数のＭＣＳのうちの１つまたは複数の第２のＭＣＳと比較して、ｉ）１つまたは複数のより低いデータレートに対応し、且つ、ｉｉ）より長距離の通信を容易にする、１つまたは複数の第１のＭＣＳを含む。
【０００９】
通信プロトコルは、ｉ）複数の変調符号化方式（ＭＣＳ）を規定するとともに、ｉｉ）異なる数の空間ストリームの使用を可能にし、１つまたは複数の第１の送信モードは、１組または複数組のＭＣＳ／いくつかの空間ストリームの組み合わせを含み、１つまたは複数の第１の送信モードにおけるＭＣＳ／いくつかの空間ストリームの組み合わせ内の１つまたは複数の第１のＭＣＳは、所与の数の空間ストリームについて、複数のＭＣＳのうちの１つまたは複数の第２のＭＣＳと比較して、ｉ）１つまたは複数のより低いデータレートに対応し、且つ、ｉｉ）より長距離の通信を容易にする。
【００１０】
通信ネットワーク内での送信の際に、１つまたは複数の第１の送信モードを使用すべきでないことを示す情報は、通信ネットワーク内で少なくともいくつかのメディアアクセス制御層（ＭＡＣ）制御フレームおよび／またはＭＡＣ管理フレームを送信するときに１つまたは複数の第１の送信モードを使用すべきではないことを示す。
【００１１】
通信ネットワーク内での送信の際に、１つまたは複数の第１の送信モードを使用すべきではないことを示す情報は、通信ネットワーク内でデータフレームを送信するときに１つまたは複数の第１の送信モードを使用すべきではないことを示す。
【００１２】
通信フレームはメディアアクセス制御層（ＭＡＣ）プロトコルデータユニットであり、方法は、ＭＡＣプロトコルデータユニットを含む物理層（ＰＨＹ）プロトコルデータユニットＰＰＤＵを通信デバイスにおいて生成することをさらに含み、通信フレームを送信することは、ＰＰＤＵを送信することを含む。
【００１３】
１つまたは複数の第１の送信モードは、１つまたは複数の第１の物理層（ＰＨＹ）プロトコル送信モードを含み、１つまたは複数の第２の送信モードは、１つまたは複数の第２のＰＨＹプロトコル送信モードを含む。
【００１４】
別の実施形態では、装置は、通信デバイスと関連付けられたネットワークインタフェースデバイスを含む。ネットワークインタフェースデバイスは、無線通信ネットワーク内での送信の際に、１つまたは複数の第１の送信モードを使用すべきではないことを示す情報を含む通信フレームを生成するように構成された１つまたは複数の集積回路（ＩＣ）を含み、無線通信ネットワークは、１つまたは複数の第１の送信モードおよび１つまたは複数の第２の送信モードを規定する通信プロトコルに従って動作し、１つまたは複数の第１の送信モードは、１つまたは複数の第２の送信モードと比較して拡張範囲通信を提供し、１つまたは複数のＩＣは、無線通信ネットワーク内での送信の際に、１つまたは複数の第１の送信モードを使用しないように無線通信ネットワーク内の１つまたは複数の他の通信デバイスに指示するために通信フレームを送信するようにさらに構成されている。
【００１５】
他の様々な実施形態において、装置は、以下の特徴のうちの１つ、または２つ以上の任意の適切な組み合わせをさらに含む。
【００１６】
通信プロトコルは、拡張範囲通信を提供するための拡張範囲物理層（ＰＨＹ）プロトコルデータユニット（ＰＰＤＵ）フォーマットを含む複数のＰＰＤＵフォーマットを規定し、１つまたは複数の第１の送信モードは拡張範囲ＰＰＤＵフォーマットを含む。
【００１７】
通信プロトコルは、デュアルキャリア変調（ＤＣＭ）モードを規定し、１つまたは複数の第１の送信モードは、デュアルキャリア変調（ＤＣＭ）モードを含む。
【００１８】
通信プロトコルは、複数の異なるデータレートに対応する複数の変調符号化方式（ＭＣＳ）を規定し、１つまたは複数の第１の送信モードは、複数のＭＣＳのうちの１つまたは複数の第２のＭＣＳと比較して、ｉ）１つまたは複数のより低いデータレートに対応し、且つ、ｉｉ）より長距離の通信を容易にする、１つまたは複数の第１のＭＣＳを含む。
【００１９】
通信プロトコルは、ｉ）複数の変調符号化方式（ＭＣＳ）を規定するとともに、ｉｉ）異なる数の空間ストリームの使用を可能にし、１つまたは複数の第１の送信モードは、１組または複数組のＭＣＳ／いくつかの空間ストリームの組み合わせを含み、１つまたは複数の第１の送信モードにおけるＭＣＳ／いくつかの空間ストリームの組み合わせ内の１つまたは複数の第１のＭＣＳは、所与の数の空間ストリームについて、複数のＭＣＳのうちの１つまたは複数の第２のＭＣＳと比較して、ｉ）１つまたは複数のより低いデータレートに対応し、且つ、ｉｉ）より長距離の通信を容易にする。
【００２０】
通信ネットワーク内での送信の際に、１つまたは複数の第１の送信モードを使用すべきでないことを示す情報は、通信ネットワーク内で少なくともいくつかのメディアアクセス制御層（ＭＡＣ）制御フレームおよび／またはＭＡＣ管理フレームを送信するときに１つまたは複数の第１の送信モードを使用すべきではないことを示す。
【００２１】
通信ネットワーク内での送信の際に、１つまたは複数の第１の送信モードを使用すべきではないことを示す情報は、通信ネットワーク内でデータフレームを送信するときに１つまたは複数の第１の送信モードを使用すべきではないことを示す。
【００２２】
通信フレームはメディアアクセス制御層（ＭＡＣ）プロトコルデータユニットであり、１つまたは複数のＩＣは、ＭＡＣプロトコルデータユニットを含む物理層（ＰＨＹ）プロトコルデータユニットＰＰＤＵを生成し、且つ、ＰＰＤＵを送信する、ようにさらに構成されている。
【００２３】
１つまたは複数の第１の送信モードは、１つまたは複数の第１の物理層（ＰＨＹ）プロトコル送信モードを含み、１つまたは複数の第２の送信モードは、１つまたは複数の第２のＰＨＹプロトコル送信モードを含む。
【００２４】
ネットワークインタフェースデバイスは、１つまたは複数のＩＣデバイス上に実装された物理層（ＰＨＹ）プロセッサと、ＰＨＹプロセッサに結合されるとともに、１つまたは複数のＩＣデバイス上に実装された媒体アクセス制御（ＭＡＣ）プロセッサと、を備えている。
【００２５】
ＰＨＹプロセッサは、１つまたは複数のトランシーバを備えている。
【００２６】
装置は、１つまたは複数のトランシーバに結合されている１つまたは複数のアンテナをさらに備えている。
【図面の簡単な説明】
【００２７】
【図１】一実施形態による、例示的な無線ローカルエリアネットワーク（ＷＬＡＮ）のブロック図である。
【００２８】
【図２Ａ】一実施形態による、例示的なシングルユーザ物理層（ＰＨＹ）データユニットのブロック図である。
【００２９】
【図２Ｂ】一実施形態による、例示的なマルチユーザＰＨＹデータユニットのブロック図である。
【００３０】
【図３】一実施形態による、無線通信ネットワークにおける送信範囲を制限するために、無線通信ネットワーク内の１つまたは複数の通信デバイスに通信プロトコルによって規定された１つまたは複数の送信モードを使用しないように指示する例示的な方法のフロー図である。
【００３１】
【図４】一実施形態による、通信プロトコルによって規定された１つまたは複数の送信モードを使用しないという指示の受信に応答して無線通信ネットワーク内で通信するための例示的な方法のフロー図である。
【発明を実施するための形態】
【００３２】
以下に説明される実施形態では、送信モード（物理層（ＰＨＹ）プロトコル送信モード）は、高密度無線ネットワークにおける空間的再使用を改善するために選択される。例えば、いくつかの実施形態では、無線ネットワーク内の第１の通信デバイス（例えばアクセスポイント）は、無線ネットワーク内の１つまたは複数の第２の通信デバイス（例えばクライアント局）に、拡張範囲を提供する特定の送信モードを使用しないように指示する。他の実施形態では、拡張範囲を提供する送信モードが特定の状況でのみ使用されるように、係る送信モードを使用するための規則が規定される。係る送信モードの使用を制限することによって、無線ネットワーク内の通信デバイスによる送信の範囲は一般に減少し、したがって他の近くの通信ネットワークによる通信チャネルの空間的再使用が容易になる。
【００３３】
図１は、一実施形態による、後述するような１つまたは複数の送信モード選択技法を使用する例示的な無線ローカルエリアネットワーク（ＷＬＡＮ）１１０のブロック図である。ＷＬＡＮ１１０は、ネットワークインタフェースデバイス１２２に結合されているホストプロセッサ１１８を含むアクセスポイント（ＡＰ）１１４を含む。ネットワークインタフェース１２２は、媒体アクセス制御（ＭＡＣ）プロセッサ１２６および物理層（ＰＨＹ）プロセッサ１３０を含む。ＰＨＹプロセッサ１３０は複数のトランシーバ１３４を含み、トランシーバ１３４は複数のアンテナ１３８に結合されている。図１には３つのトランシーバ１３４と３つのアンテナ１３８とが示されているが、他の実施形態では、ＡＰ１１４は、他の適切な数（例えば１、２、４、５など）のトランシーバ１３４およびアンテナ１３８を含む。いくつかの実施形態では、ＡＰ１１４はトランシーバ１３４よりも多数のアンテナ１３８を含み、アンテナ切り替え技術が利用される。
【００３４】
ネットワークインタフェース１２２は、以下で論じるように動作するように構成された１つまたは複数の集積回路（ＩＣ）を使用して実施される。例えば、ＭＡＣプロセッサ１２６は、少なくとも部分的に、第１のＩＣ上に実装されてもよく、ＰＨＹプロセッサ１３０は、少なくとも部分的に、第２のＩＣ上に実装されてもよい。別の例として、ＭＡＣプロセッサ１２６の少なくとも一部およびＰＨＹプロセッサ１３０の少なくとも一部は単一のＩＣ上に実装されてもよい。例えば、ネットワークインタフェース１２２は、ＭＡＣプロセッサ１２６の少なくとも一部とＰＨＹプロセッサ１３０の少なくとも一部とを含むシステムオンチップ（ＳｏＣ）を使用して実装され得る。いくつかの実施形態では、ＭＡＣプロセッサ１２６は、コントローラ（例えば、ハードウェア状態マシン、ＭＡＣプロセッサ１２６に含まれるかまたはＭＡＣプロセッサ１２６に結合されているメモリに格納された機械可読命令を実行するプロセッサなどのうち１つまたは複数）を含む。
【００３５】
様々な実施形態において、ＡＰ１１４のＭＡＣプロセッサ１２６および／またはＰＨＹプロセッサ１３０は、ＩＥＥＥ  ８０２．１１規格に準拠する通信プロトコルなどのＷＬＡＮ通信プロトコルまたは他の適切な無線通信プロトコルに準拠するデータユニットを生成し、受信したデータユニットを処理するように構成される。例えば、ＭＡＣプロセッサ１２６は、ＷＬＡＮ通信プロトコルのＭＡＣ層機能を含むＭＡＣ層機能を実装するように構成されてもよく、ＰＨＹプロセッサ１３０は、ＷＬＡＮ通信プロトコルのＰＨＹ機能を含むＰＨＹ機能を実装するように構成されてもよい。例えば、ＭＡＣプロセッサ１２６は、ＭＡＣサービスデータユニット（ＭＳＤＵ）、ＭＡＣプロトコルデータユニット（ＭＰＤＵ）などといったＭＡＣ層データユニットを生成し、そのＭＡＣ層データユニットをＰＨＹプロセッサ１３０に提供するように構成され得る。ＰＨＹプロセッサ１３０は、ＭＡＣプロセッサ１２６からＭＡＣ層データユニットを受信するとともに、ＭＡＣ層データユニットをカプセル化して、アンテナ１３８を介した送信用のＰＨＹプロトコルデータユニット（ＰＰＤＵ）などのＰＨＹデータユニットを生成するように構成され得る。同様に、ＰＨＹプロセッサ１３０は、アンテナ１３８を介して受信されたＰＨＹデータユニットを受信するとともに、ＰＨＹデータユニット内にカプセル化されたＭＡＣ層データユニットを抽出するように構成され得る。ＰＨＹプロセッサ１３０は、抽出されたＭＡＣ層データユニットを、ＭＡＣ層データユニットを処理するＭＡＣプロセッサ１２６に提供してよい。
【００３６】
ＷＬＡＮ１１０は複数のクライアント局１５４を含む。図１には３つのクライアント局１５４が示されているが、様々な実施形態において、ＷＬＡＮ１１０は、他の適切な数（例えば、１、２、４、５、６など）のクライアント局１５４を含む。クライアント局１５４−１は、ネットワークインタフェースデバイス１６２に結合されているホストプロセッサ１５８を含む。ネットワークインタフェース１６２は、ＭＡＣプロセッサ１６６およびＰＨＹプロセッサ１７０を含む。ＰＨＹプロセッサ１７０は複数のトランシーバ１７４を含み、トランシーバ１７４は複数のアンテナ１７８に結合されている。図１には３つのトランシーバ１７４および３つのアンテナ１７８が示されているが、他の実施形態では、クライアント局１５４−１は他の適切な数（例えば１、２、４、５など）のトランシーバ１７４およびアンテナ１７８を含む。いくつかの実施形態では、クライアント局１５４−１はトランシーバ１７４よりも多数のアンテナ１７８を含み、アンテナ切り替え技術が利用される。
【００３７】
ネットワークインタフェース１６２は、以下で論じるように動作するように構成された１つまたは複数のＩＣを使用して実施される。例えば、ＭＡＣプロセッサ１６６は、少なくとも第１のＩＣ上に実装されてもよく、ＰＨＹプロセッサ１７０は、少なくとも第２のＩＣ上に実装されてもよい。別の例として、ＭＡＣプロセッサ１６６の少なくとも一部およびＰＨＹプロセッサ１７０の少なくとも一部は単一のＩＣ上に実装されてもよい。例えば、ネットワークインタフェース１６２は、ＭＡＣプロセッサ１６６の少なくとも一部とＰＨＹプロセッサ１７０の少なくとも一部とを含むＳｏＣを使用して実装され得る。いくつかの実施形態では、ＭＡＣプロセッサ１６６は、コントローラ（例えば、ハードウェア状態マシン、ＭＡＣプロセッサ１６６に含まれるかまたはＭＡＣプロセッサ１６６に結合されているメモリに格納された機械可読命令を実行するプロセッサなどのうち１つまたは複数）を含む。
【００３８】
様々な実施形態において、クライアント局１５４−１のＭＡＣプロセッサ１６６およびＰＨＹプロセッサ１７０は、ＷＬＡＮ通信プロトコルまたは他の適切な通信プロトコルに準拠するデータユニットを生成し、受信したデータユニットを処理するように構成される。例えば、ＭＡＣプロセッサ１６６は、ＷＬＡＮ通信プロトコルのＭＡＣ層機能を含むＭＡＣ層機能を実装するように構成されてもよく、ＰＨＹプロセッサ１７０は、ＷＬＡＮ通信プロトコルのＰＨＹ機能を含むＰＨＹ機能を実装するように構成されてもよい。ＭＡＣプロセッサ１６６は、ＭＳＤＵ、ＭＰＤＵなどといったＭＡＣ層データユニットを生成し、そのＭＡＣ層データユニットをＰＨＹプロセッサ１７０に提供するように構成され得る。ＰＨＹプロセッサ１７０は、ＭＡＣプロセッサ１６６からＭＡＣ層データユニットを受信するとともに、ＭＡＣ層データユニットをカプセル化して、アンテナ１７８を介した送信用のＰＰＤＵなどのＰＨＹデータユニットを生成するように構成され得る。同様に、ＰＨＹプロセッサ１７０は、アンテナ１７８を介して受信されたＰＨＹデータユニットを受信するとともに、ＰＨＹデータユニット内にカプセル化されたＭＡＣ層データユニットを抽出するように構成され得る。ＰＨＹプロセッサ１７０は、抽出されたＭＡＣ層データユニットを、ＭＡＣ層データユニットを処理するＭＡＣプロセッサ１６６に提供してよい。
【００３９】
一実施形態では、クライアント局１５４−２および１５４−３のそれぞれは、クライアント局１５４−１と同一または同様の構造を有する。クライアント局１５４−２および１５４−３のそれぞれは、同じまたは異なる数のトランシーバおよびアンテナを有する。例えば、一実施形態によれば、クライアント局１５４−２および／またはクライアント局１５４−３はそれぞれ、２つのトランシーバと２つのアンテナ（図示せず）のみを有する。
【００４０】
一実施形態では、ＷＬＡＮ通信プロトコルは、ＰＰＤＵに利用することができる複数の変調符号化方式（ＭＣＳ）を規定する。一般に、各ＭＣＳは、ｉ）特定の変調方式、およびｉｉ）特定の符号化率（前方誤り訂正符号（ＦＥＣ）方式に対応する）に対応し、各ＭＣＳは異なる実効データレートに対応する。例えば、それほど複雑でない変調方式（例えば、２値位相偏移変調（ＢＰＳＫ）、４値位相偏移変調（ＱＰＳＫ））は、よりロバストな送信信頼性を提供するが、より複雑な変調方式（例えば１６コンステレーションポイント４値振幅変調（１６−ＱＡＭ）、６４−ＱＡＭ、２５６−ＱＡＭなど）と比較して低いデータレートを提供する。同様に、ＦＥＣについてのより低い符号化率（例えば１／２）はよりロバストな送信信頼性を提供するが、より高い符号化率（例えば３／４、５／６など）と比較してより低いデータレートを提供する。符号化率は、冗長ＦＥＣビットを含む、送信されたビットの総数に対する情報ビットの比率を示す。したがって、より低い符号化率は一般に、より高い符号化率と比較してより多くの冗長ＦＥＣビットを追加することに対応する。
【００４１】
一実施形態では、通信プロトコルは、特定の送信にどのＭＣＳが使用されるかを示すために通信デバイスが使用することができるＭＣＳインデックスを規定し、インデックス値が増加するにつれて実効データレートは増加する。表１は、一実施形態による、ＭＣＳインデックス値、および、対応する変調方式および符号化率の例示的なリストである。他の実施形態では、表１に列挙された例示的な変調方式／符号化率の組み合わせの代わりに、またはそれに加えて、１つまたは複数の他の適切な変調方式／符号化率の組み合わせが使用される。
【表１】
2020504564.tif 000003
【００４２】
いくつかの実施形態では、無線通信プロトコルは複数の空間ストリームを介した送信を提供する。複数の空間ストリームとともに使用されるＭＣＳは、一般に、単一の空間ストリームとともに同じＭＣＳを使用する場合と比較して、より高い実効データレートを提供する。他方で、所与の数の空間ストリームに対して、ＭＣＳインデックス値が増加するにつれて実効データレートは増加する。
【００４３】
いくつかの実施形態において、無線通信プロトコルは、複数の異なるチャネル周波数帯域幅（例えば、２０ＭＨｚ、４０ＭＨｚ、８０ＭＨｚなど）の使用を提供する。より広い周波数帯域幅での送信の送信電力はより広い周波数帯域幅にわたって広がるので、送信の範囲はより狭い帯域幅での送信と比較して短くなる傾向がある。したがって、いくつかの実施形態では、特定のＭＣＳを使用する第１の周波数帯域幅での送信は、第１の周波数帯域幅より広い第２の周波数帯域幅で特定のＭＣＳを使用する送信と比較してより長い範囲を有する。
【００４４】
より低いインデックス値に対応するＭＣＳ（例えば、ＭＣＳインデックス＝０（ＭＣＳ０）、ＭＣＳ１）を使用して送信されたＰＰＤＵは、少なくとも所与の数の空間ストリームおよび所与の周波数帯域幅に関しては、より高いインデックス値に対応するＭＣＳ（例えば、ＭＣＳ４〜ＭＣＳ９）を使用して送信されたＰＰＤＵと比較して、より長い距離を隔てた位置においてうまく復号され得る。したがって、少なくとも所与の数の空間ストリームおよび所与の周波数帯域幅についてより低いＭＣＳを使用することにより、ＰＰＤＵの送信範囲が効果的に増大し、このことは、近隣の無線通信ネットワークにおける送信を妨げ、および／またはその無線媒体時間を消費し得る。
【００４５】
いくつかの実施形態では、特定のＭＣＳは無線通信プロトコルによって必須であると規定され、すなわち、無線通信プロトコルに準拠するデバイスは必須のＭＣＳをサポートしなければならない。いくつかの実施形態において、単一の空間ストリームに対する特定のＭＣＳは、無線通信プロトコルによって必須であると規定され、すなわち、無線通信プロトコルに準拠するデバイスは、単一の空間ストリームに対する必須のＭＣＳをサポートしなければならない。
【００４６】
いくつかの実施形態において、無線通信プロトコルはオプションとして、複数の異なる周波数で同じデータを送信すること、ひいては周波数ダイバーシティを提供することを含むデュアルキャリア変調（ＤＣＭ）技術を使用することを可能にする。いくつかの実施形態では、通信プロトコルは、通信プロトコルによって規定されたＭＣＳのサブセットに対してのみＤＣＭが許可されることを指定する。例えば、例示的実施形態によれば、ＤＣＭは、ＭＣＳ０、ＭＣＳ１、ＭＣＳ３、およびＭＣＳ４（表１）とともに使用されることのみが許可される。ＤＣＭを使用して送信されたＰＰＤＵは、ＤＣＭを使用せずに送信されたＰＰＤＵと比較して、より長い距離を隔てた位置においてうまく復号することができる。したがって、ＤＣＭを使用することにより、ＰＰＤＵの送信範囲が効果的に増加し、このことは近隣の無線通信ネットワークにおける送信を妨げ、および／またはその無線媒体時間を消費し得る。
【００４７】
図２Ａは、一実施形態による、ネットワークインタフェース１２２（図１）が生成して１つのクライアント局１５４（例えば、クライアント局１５４−１）に送信するように構成されているシングルユーザ物理層（ＰＨＹ）プロトコルデータユニット（ＰＰＤＵ）２００の図である。ネットワークインタフェース１６２（図１）はまた、データユニット２００と同一または同様のデータユニットをＡＰ１１４に送信するように構成されてもよい。ＰＰＤＵ２００は、２０ＭＨｚ帯域幅または他の適切な帯域幅を占有し得る。ＰＰＤＵ２００と同様のＰＨＹプロトコルデータユニットは、他の実施形態では、例えば４０ＭＨｚ、８０ＭＨｚ、１６０ＭＨｚ、３２０ＭＨｚ、６４０ＭＨｚなどの他の適切な帯域幅、または他の適切な帯域幅を占有する。
【００４８】
ＰＰＤＵ２００は、レガシーショートトレーニングフィールド（Ｌ−ＳＴＦ）２０５と、レガシーロングトレーニングフィールド（Ｌ−ＬＴＦ）２１０と、レガシー信号フィールド（Ｌ−ＳＩＧ）２１５と、繰り返しＬ−ＳＩＧフィールド（ＲＬ−ＳＩＧ）２１８と、高効率（ＨＥ）信号フィールド（ＨＥ−ＳＩＧ−Ａ）２２０、ＨＥショートトレーニングフィールド（ＨＥ−ＳＴＦ）２２５と、Ｍ個のＨＥロングトレーニングフィールド（ＨＥ−ＬＴＦ）２３０とを含むプリアンブル２０２を含み、Ｍは適切な正の整数である。一実施形態では、Ｍは一般に、データユニット２００が送信されることになる空間ストリームの数に対応する（例えば、当該数より多いか、それと等しい）。プリアンブル２０２におけるレガシープリアンブル部分２４２は、Ｌ−ＳＴＦ２０５、Ｌ−ＬＴＦ２１０、およびＬ−ＳＩＧ２１５を含む。プリアンブル２０２におけるＨＥプリアンブル部分２４４は、ＲＬ−ＳＩＧ２１８、ＨＥ−ＳＩＧ−Ａ２２０、ＨＥ−ＳＴＦ２２５、およびＭ個のＨＥ−ＬＴＦ２３０を含む。データユニット２００はまたデータ部分２４０を含む。いくつかのシナリオでは、ＰＰＤＵ２００はデータ部分２４０を省略してもよい。
【００４９】
Ｌ−ＳＴＦ２０５は一般にパケット検出および同期に有用な情報を含み、一方Ｌ−ＬＴＦ２１０は一般にチャネル推定および精密同期に有用な情報を含む。Ｌ−ＳＩＧ２１５は、一般に、レガシーデバイスを含む受信デバイスに、ＰＰＤＵ２００の長さなどのＰＨＹパラメータを示す。
【００５０】
ＨＥ−ＳＴＦ２２５は、一般に、ＭＩＭＯ送信における自動利得制御推定を改善するのに有用な情報を含む。ＨＥ−ＬＴＦ２３０は、一般に、ＭＩＭＯチャネルを推定するのに有用な情報を含む。
【００５１】
いくつかの実施形態では、プリアンブル２０２は、フィールド２０５〜２３０のうち１つまたは複数を省略する。いくつかの実施形態では、プリアンブル２０２は、図２Ａに示されていない追加のフィールドを含む。
【００５２】
Ｌ−ＳＴＦ２０５、Ｌ−ＬＴＦ２１０、Ｌ−ＳＩＧ２１５、ＲＬ−ＳＩＧ２１８、ＨＥ−ＳＩＧ−Ａ２２０、ＨＥ−ＳＴＦ２２５、およびＭ個のＨＥ−ＬＴＦ２３０のそれぞれは、１つまたは複数のＯＦＤＭシンボルを含む。単なる例示として、ＨＥ−ＳＩＧ−Ａ２２０は２つのＯＦＤＭシンボルを含む。
【００５３】
図２Ａの例示では、ＰＰＤＵ２００は、Ｌ−ＳＴＦ２０５、Ｌ−ＬＴＦ２１０、Ｌ−ＳＩＧ２１５、ＲＬ−ＳＩＧ２１８、およびＨＥ−ＳＩＧ−Ａ２２０のそれぞれのうちの１つを含む。データユニット２００と同様のデータユニットが２０ＭＨｚ以外の累積帯域幅を占有するいくつかの実施形態では、Ｌ−ＳＴＦ２０５、Ｌ−ＬＴＦ２１０、Ｌ−ＳＩＧ２１５、ＲＬ−ＳＩＧ２１８、およびＨＥ−ＳＩＧ−Ａ２２０のそれぞれが、一実施形態において、データユニットの全帯域幅の対応する数の２０ＭＨｚサブバンドにわたって繰り返される。例えば、データユニットが８０ＭＨｚ帯域幅を占有する実施形態では、ＰＰＤＵ２００は、それぞれの２０ＭＨｚサブバンド内にＬ−ＳＴＦ２０５、Ｌ−ＬＴＦ２１０、Ｌ−ＳＩＧ２１５、ＲＬ−ＳＩＧ２１８、およびＨＥ−ＳＩＧ−Ａ２２０のそれぞれのうち４つを含む。
【００５４】
一実施形態では、ＨＥ−ＳＩＧ−Ａ２２０は、一般に、一実施形態においてＰＰＤＵ２００の少なくとも一部分を正しく復号するのに必要な情報など、ＰＰＤＵ２００のフォーマットに関する情報を保持する。いくつかの実施形態では、ＨＥ−ＳＩＧ−Ａ２２０は、媒体保護、空間的再使用などに必要な情報など、ＰＰＤＵ２００の意図された受信機ではない受信機に関する情報をさらに含む。
【００５５】
いくつかの実施形態では、図２Ａのフォーマットと同様のフォーマットが拡張範囲ＳＵ  ＰＰＤＵに対して規定され、ＨＥ−ＳＩＧ−Ａフィールドの期間はＨＥ−ＳＩＧ−Ａ２２０の期間の２倍である。例えば、一実施形態では、拡張範囲ＳＵ  ＰＰＤＵ内のＨＥ−ＳＩＧ−Ａフィールドの期間がＨＥ−ＳＩＧ−Ａ２２０の期間の２倍であるように、ＨＥ−ＳＩＧ−Ａフィールド２２０内の情報が２回含まれる。
【００５６】
さらに、いくつかの実施形態によると、拡張範囲ＳＵ  ＰＰＤＵの場合、送信電力は、データ部分２４０のような拡張範囲ＳＵ  ＰＰＤＵにおける他のフィールド／部分の送信電力と比較して、プリアンブル２０２の特定のフィールド（および／または特定のフィールドの特定のＯＦＤＭトーン）に対してブーストされる。例えば、いくつかの実施形態によれば、Ｌ−ＳＴＦ２０５、Ｌ−ＬＴＦ２１０、ＨＥ−ＳＴＦ２２５、および／またはＨＥ−ＬＴＦ２３０のうちの１つ、または２つ以上の任意の適切な組み合わせに、データ部分２４０のような拡張範囲ＳＵ  ＰＰＤＵの他のフィールド／部分の送信電力と比較して、３デシベル（ｄＢ）の送信電力ブーストが適用される。Ｌ−ＳＴＦ２０５、Ｌ−ＬＴＦ２１０、ＨＥ−ＳＴＦ２２５、および／またはＨＥ−ＬＴＦ２３０などのフィールドへのそのような送信電力ブーストは、より遠く離れた通信デバイスに関してパケット検出、同期、チャネル推定などを改善するのに役立つ。
【００５７】
一方、Ｌ−ＳＴＦ２０５、Ｌ−ＬＴＦ２１０、ＨＥ−ＳＴＦ２２５、および／またはＨＥ−ＬＴＦ２３０などのフィールドへのそのような送信電力ブーストは、拡張範囲ＳＵ  ＰＰＤＵの送信範囲を効果的に増加させ、このことは近隣の無線通信ネットワーク内での送信を妨げ、および／またはその無線媒体時間を消費し得る。
【００５８】
いくつかの実施形態では、無線通信プロトコルは、拡張範囲ＳＵ  ＰＰＤＵに使用できるＭＣＳをより低いインデックスのＭＣＳに制限する。例えば、例示的実施形態によれば、無線通信プロトコルは、ＭＣＳ０、ＭＣＳ１、またはＭＣＳ２のみを拡張範囲ＳＵ  ＰＰＤＵに使用できることを指定する。したがって、この追加の理由のために、（ＭＣＳ２よりも高いＭＣＳを使用するＰＰＤＵと比較して）拡張範囲ＳＵ  ＰＰＤＵの送信範囲が拡張され、このことにより、近隣の無線通信ネットワークにおける送信が妨害され、および／または無線媒体時間が消費され得る。
【００５９】
図２Ｂは、一実施形態による、ネットワークインタフェース１２２（図１）が複数のクライアント局１５４に送信するように構成されているマルチユーザＰＰＤＵ２５０の図である。ネットワークインタフェース１６２（図１）はまた、ＰＰＤＵ２５０と同一または同様のデータユニットを生成し送信するように構成されてもよい。ＰＰＤＵ２５０は、２０ＭＨｚ帯域幅または他の適切な帯域幅を占有し得る。他の実施形態では、ＰＰＤＵ２５０と同様のＰＰＤＵは、他の適切な帯域幅、例えば４０ＭＨｚ、８０ＭＨｚ、１６０ＭＨｚ、３２０ＭＨｚ、６４０ＭＨｚ、または他の適切な帯域幅を占有する。
【００６０】
一実施形態では、ＰＰＤＵ２５０は、クライアント局１５４に割り当てられたそれぞれのＯＦＤＭトーンのセット、および場合によってはそれぞれの空間ストリームを使用して、複数のクライアント局１５４に独立したデータストリームが送信される、ダウンリンク（ＤＬ）直交周波数分割多元接続（ＯＦＤＭＡ）ユニットである。例えば、一実施形態では、利用可能なＯＦＤＭトーン（例えば、ＤＣトーンおよび／またはガードトーンとして使用されないＯＦＤＭトーン）は複数のリソースユニット（ＲＵ）に分割され、複数のＲＵのそれぞれは、１つまたは複数のクライアント局１５４への送信に割り当てられる。ＰＰＤＵ２５０は、図２ＡのＰＰＤＵ２００に類似しており、簡潔化のため、同じ番号の要素は再度詳細には説明されない。
【００６１】
ＰＰＤＵ２５０は、プリアンブル２０２（図２Ａ）と同様のプリアンブル２５２を含む。プリアンブル２５２は、ＨＥ部分２４４（図２Ａ）と同様のＨＥ部分２５４を含む。ＨＥ部分２５４は、ＨＥシグナルフィールド（ＨＥ−ＳＩＧ−Ｂ）２６０を含む。
【００６２】
ＰＰＤＵ２５０と同様のＰＰＤＵが２０ＭＨｚ以外の累積帯域幅を占有する実施形態では、ＨＥ−ＳＩＧ−Ｂ２６０は、データユニットの全帯域幅の対応する数の２０ＭＨｚサブバンドにわたって繰り返される。ＰＰＤＵ２５０と同様のデータユニットが２０ＭＨｚ以外の累積帯域幅を占有する別の実施形態では、ＨＥ−ＳＩＧ−Ｂ２６０は、データユニットの全帯域幅の複数の異なる２０ＭＨｚサブバンドに対応する複数の異なるチャネル固有部分を含み、複数の異なるチャネル固有部分は、ＰＰＤＵ２５０の全帯域幅の対応する２０ＭＨｚサブバンドにおいて並列に送信される。
【００６３】
一実施形態では、ＨＥ−ＳＩＧ−Ａ２２０およびＨＥ−ＳＩＧ−Ｂ２６０は、一般に、ＰＰＤＵ２５０の少なくとも一部を正しく復号するのに必要な情報など、ＰＰＤＵ２５０のフォーマットに関する情報を保持する。ＨＥ−ＳＩＧ−Ａ２２０は、ＰＰＤＵ２５０の複数の意図された受信機によって一般的に必要とされる情報を保持する。一方、ＨＥ−ＳＩＧ−Ｂ２６０は、ＰＰＤＵ２５０のそれぞれの意図された受信機によって個々に必要とされるユーザ固有の情報を保持する。一実施形態では、ＨＥ−ＳＩＧ−Ａ２２０は、ＨＥ−ＳＩＧ−Ｂ２６０を正しく復号するのに必要な情報を含み、ＨＥ−ＳＩＧ−Ｂ２６０は、ＰＰＤＵ２５０のデータ部分２４０のデータストリームを正しく復号するのに必要な情報を含む。
【００６４】
以下により詳細に説明されるように、いくつかの実施形態によれば、無線通信ネットワークが（例えば、複数の近隣の無線通信ネットワークがある）高密度環境で動作しているとき、および／または１つまたは複数の近隣の無線通信ネットワークによる無線通信媒体の空間的再使用を容易にするために、より長距離の送信をもたらす１つまたは複数の送信モード（例えば、ＭＣＳ、ＤＣＭ、拡張範囲ＳＵ  ＰＰＤＵなど）の使用が無線通信ネットワーク内において制限される。
【００６５】
一実施形態によれば、応答フレームを促すＭＡＣ制御フレーム（例えば、送信要求（ＲＴＳ）フレーム、マルチユーザＲＴＳ（ＭＵ−ＲＴＳ）フレーム、ブロック肯定応答要求（ＢｌｏｃｋＡｃｋＲｅｑ）フレームなど）が、ＰＰＤＵ２００および／またはＰＰＤＵ２５０と同一または同様のＭＵ  ＰＰＤＵのデータ部に含まれる。いくつかの実施形態による、制御フレームおよび／または応答フレームについてのより長距離の送信をもたらす１つまたは複数の送信モード（例えば、ＭＣＳ、ＤＣＭ、拡張範囲ＳＵ  ＰＰＤＵなど）を使用するための規則について、以下でさらに詳細に説明する。いくつかの実施形態によれば、そのような規則は、１つまたは複数の近隣の無線通信ネットワークによる無線通信媒体の空間的再使用を容易にするために制御／応答フレームに関する１つまたは複数の送信モードの使用を制限する。
【００６６】
いくつかの実施形態では、無線通信ネットワーク内の通信デバイス（例えば、無線通信ネットワークのＡＰ）は、無線通信ネットワークの送信範囲を減少するために、（例えば、無線通信プロトコルで規定されている他の送信モードと比較して）より長い送信範囲を提供する無線通信プロトコルによって規定される１つまたは複数の送信モードが無線通信ネットワークでは使用されるべきでないと判断する。例えば、通信デバイス（例えばＡＰ）は、１つまたは複数の他の近隣の無線通信ネットワークからの送信を検出し、そのような検出に基づいて、より長い送信範囲を提供する１つまたは複数の送信モードを無線通信ネットワークで使用するべきではないと判断することができる。別の例として、通信デバイス（例えばＡＰ）は、１つまたは複数の他の無線通信ネットワークにおける１つまたは複数の他の通信デバイス（例えば１つまたは複数の他のＡＰ）から１つまたは複数の通信を受信してもよく、上記１つまたは複数の通信は、無線ネットワーク内の送信が、１つまたは複数の他の無線通信ネットワークの送信に干渉している、および／またはその無線媒体時間を消費していることを示す。そのような通信に応答して、通信デバイスは、より長い送信範囲を提供する１つまたは複数の送信モードが無線通信ネットワークにおいて使用されるべきではないと判断し得る。さらに別の例として、通信デバイス（例えばＡＰ）は、他の通信デバイス（例えばＡＰおよび／または１つまたは複数の他のＡＰにＷｉＦｉ、有線通信ネットワークなどを介して通信可能に接続されたコントローラ）から１つまたは複数の通信を受信してもよく、上記１つまたは複数の通信は、無線ネットワーク内の送信が、１つまたは複数の他の無線通信ネットワークの送信と干渉している、および／またはその無線媒体時間を消費していることを示す。そのような通信に応答して、通信デバイスは、より長い送信範囲を提供する１つまたは複数の送信モードが無線通信ネットワークにおいて使用されるべきではないと判断し得る。
【００６７】
様々な実施形態において、（例えば、無線通信プロトコルによって規定される他の送信モードと比較して）より長い送信範囲を提供する無線通信プロトコルによって規定される１つまたは複数の送信モードは、拡張範囲ＰＰＤＵフォーマット（上述の拡張範囲ＳＵ  ＰＰＤＵフォーマットなど）、１つまたは複数の変調方式（例えばＢＰＳＫ、ＱＡＭなど）、１つまたは複数のＭＣＳ、特定の数の空間ストリーム用の１つまたは複数の変調方式、特定の周波数帯域幅用の１つまたは複数の変調方式、特定の数の空間ストリーム用の１つまたは複数のＭＣＳ、特定の周波数帯域幅用の１つまたは複数のＭＣＳ、ＤＣＭなどのうち、１つ、または２つ以上の任意の適切な組み合わせを含む。
【００６８】
さらに、一実施形態によれば、無線通信ネットワーク内の通信デバイス（例えば、ＡＰ）は、１つまたは複数の送信モードを無線通信ネットワーク内で使用しないことを無線通信ネットワーク内の１つまたは複数の他の通信デバイスに通知する。例えば、一実施形態では、通信デバイス（例えばＡＰ）は、特定の送信モードが無線通信ネットワークで使用されるべきではないことを示す情報を通信フレーム内に含み、無線通信ネットワーク内の１つまたは複数の他の通信デバイスに通信フレームを送信する。一実施形態では、通信デバイス（例えばＡＰ）は、無線通信ネットワークに関する動作情報を提供する情報要素（例えば、ネットワーク動作情報要素、高効率ＷｉＦｉ（ＨＥ）動作要素など）を含むように通信フレームを生成し、上記情報要素は、より長い送信範囲を提供する無線通信プロトコルによって規定された１つまたは複数の送信モードが無線通信ネットワークにおいて許可されているかどうかを示すための１つまたは複数のサブフィールド（例えば、拡張範囲ＰＰＤＵフォーマットの使用が許可されているかどうかを示すサブフィールド、ＤＣＭの使用が許可されているかどうかを示すサブフィールド、１つまたは複数のＭＣＳの使用が許可されているかどうかを示すサブフィールドなどのうち１つまたは複数）を含む。そのような実施形態では、通信デバイス（例えば、ＡＰ）は、１つまたは複数の送信モードが許可されないこと（例えば、拡張範囲ＰＰＤＵフォーマットの使用が許可されていないこと、ＤＣＭの使用が許可されていないこと、１つまたは複数のＭＣＳの使用が許可されていないことなどのうち１つまたは複数）を示すように１つまたは複数のサブフィールドを設定する。
【００６９】
一実施形態では、ＭＣＳ０が許可されていないことを示すことは、ＭＣＳ０およびＭＣＳ１に対するＤＣＭも許可されないことを通信デバイスに通知する。一実施形態では、ＭＣＳ０およびＭＣＳ１が許可されていないことを示すことは、ＭＣＳ０、ＭＣＳ１、およびＭＣＳ２に対するＤＣＭも許可されていないことを通信デバイスに通知する。一実施形態では、ＭＣＳｉが許可されないこと（ｉはゼロまたは正の整数）を示すことは、ＭＣＳ０およびＭＣＳ１に対するＤＣＭも許可されないことを通信デバイスに通知する。ＤＣＭがＭＣＳ０、ＭＣＳ１、ＭＣＳ３、およびＭＣＳ４でのみ使用できることを通信プロトコルが指定する実施形態では、少なくともＭＣＳ０、ＭＣＳ１、およびＭＣＳ３が許可されていないことを示すことは、ＤＣＭがすべて許可されていないことを通信デバイスに通知する。
【００７０】
別の実施形態では、通信デバイス（例えばＡＰ）は、通信デバイスの機能情報を提供する情報要素（例えば、ネットワーク機能情報要素、ハイスループットＷｉＦｉ（ＨＴ）機能要素など）を含むように通信フレームを生成し、上記情報要素は、どのＭＣＳ／空間ストリーム数（Ｎｓｓ）の組み合わせが通信デバイスによってサポートされるかを示すためのビットマスクサブフィールドを含む。そのような実施形態では、通信デバイス（例えば、ＡＰ）は、どの１つまたは複数のＭＣＳ／Ｎｓｓの組み合わせが許可されていないかを示すようにビットマスクを設定する。
【００７１】
別の実施形態では、通信デバイス（例えばＡＰ）は、通信デバイスの機能情報を提供する情報要素（例えば、ネットワーク機能情報要素、ハイスループットＷｉＦｉ（ＨＴ）機能要素など）を含むように通信フレームを生成し、上記情報要素は、どのＭＣＳ／Ｎｓｓ／周波数帯域幅の組み合わせが通信デバイスによってサポートされているかを示すためのビットマスクサブフィールドを含む。そのような実施形態では、通信デバイス（例えば、ＡＰ）は、どの１つまたは複数のＭＣＳ／Ｎｓｓ／周波数帯域幅の組み合わせが許可されていないかを示すようにビットマスクを設定する。
【００７２】
いくつかの実施形態において、通信フレームはＭＡＣデータユニット（例えば、ＭＰＤＵ、ＭＳＤＵなど）である。いくつかの実施形態では、通信フレームは無線通信プロトコルによって規定されたＭＡＣ制御フレームである。いくつかの実施形態では、通信フレームは無線通信プロトコルによって規定されたＭＡＣ管理フレームである。様々な実施形態において、通信フレームは、ビーコンフレーム、接続要求フレーム、接続応答フレーム、再接続要求フレーム、再接続応答フレーム、プローブ要求フレーム、プローブ応答フレーム、メッシュ・ピアリング・オープン・フレーム、メッシュ・ピアリング・クローズ・フレームなどである。
【００７３】
いくつかの実施形態では、通信フレームは無線送信用のＰＰＤＵに含まれる。いくつかの実施形態では、ＰＰＤＵは図２Ａに示すようなフォーマットを有する。いくつかの実施形態では、ＰＰＤＵは図２Ｂに示すようなフォーマットを有する。他の実施形態では、ＰＰＤＵは他の適切なフォーマットを有する。
【００７４】
いくつかの実施形態では、通信フレームは、１つまたは複数の送信モードがＭＡＣ制御フレームおよび／またはＭＡＣ管理フレームの送信に使用されるべきではないことを１つまたは複数の他の通信デバイスに指示する。いくつかの実施形態では、通信フレームは、１つまたは複数の送信モードがデータフレームの送信に使用されるべきではないことを１つまたは複数の他の通信デバイスに指示する。いくつかの実施形態では、通信フレームは、１つまたは複数の送信モードがいかなるタイプの通信フレームの送信にも使用されるべきではないことを１つまたは複数の他の通信デバイスに指示する。
【００７５】
図３は、一実施形態による、無線通信ネットワーク内の送信範囲を制限するために、通信プロトコルによって規定された１つまたは複数の第１の送信モードを使用しないように無線通信ネットワーク内の１つまたは複数の通信デバイスに指示する例示的な方法３００のフロー図である。いくつかの実施形態では、１つまたは複数の第１の送信モードは、通信プロトコルによって規定された１つまたは複数の第２のプロトコル送信モードと比較して、拡張範囲通信を提供する。
【００７６】
いくつかの実施形態において、方法３００は、無線通信ネットワークを管理する通信デバイス（例えば、ＡＰ）によって実施される。他の実施形態では、方法３００は、ピアツーピアネットワーク、メッシュネットワークなどの中の通信デバイスによって実施される。一実施形態では、図１のネットワークインタフェースデバイス１２２は方法３００を実施するように構成される。ただし、方法３００は、ネットワークインタフェースデバイス１２２の文脈で単に説明を目的として説明されており、他の実施形態では、方法３００は別の適切なデバイスによって実施される。
【００７７】
ブロック３０４において、通信デバイス（例えば、ネットワークインタフェースデバイス１２２）は、通信ネットワークにおいて送信するときに１つまたは複数の第１の送信モードが使用されるべきではないことを示す情報を含む通信フレームを生成する。
【００７８】
一実施形態では、通信プロトコルは、拡張範囲通信を提供するための拡張範囲ＰＰＤＵフォーマットを含む複数のＰＰＤＵフォーマットを規定し、１つまたは複数の第１の送信モードは拡張範囲ＰＰＤＵフォーマットを含む。
【００７９】
一実施形態では、通信プロトコルはＤＣＭモードを規定し、１つまたは複数の第１の送信モードはＤＣＭモードを含む。
【００８０】
一実施形態では、通信プロトコルは、複数の異なるデータレートに対応する複数のＭＣＳを規定し、１つまたは複数の第１の送信モードは、複数のＭＣＳのうちの１つまたは複数の第２のＭＣＳと比較して、ｉ）１つまたは複数のより低いデータレートに対応し、且つ、ｉｉ）より長距離の通信を容易にする、１つまたは複数の第１のＭＣＳを含む。
【００８１】
一実施形態では、通信ネットワーク内での送信の際に、１つまたは複数の第１の送信モードを使用すべきでないことを示す情報は、通信ネットワーク内でＭＡＣ制御フレームおよび／またはＭＡＣ管理フレームを送信するときに１つまたは複数の第１の送信モードを使用すべきではないことを示す。一実施形態では、通信ネットワーク内での送信の際に、１つまたは複数の第１の送信モードを使用すべきではないことを示す情報は、通信ネットワーク内でデータフレームを送信するときに１つまたは複数の第１の送信モードを使用すべきではないことを示す。一実施形態では、通信ネットワーク内での送信の際に、１つまたは複数の第１の送信モードを使用すべきではないことを示す情報は、通信ネットワーク内でいかなるタイプの通信フレームを送信するときにも１つまたは複数の第１の送信モードを使用すべきではないことを示す。
【００８２】
一実施形態では、１つまたは複数の第１の送信モードは、１つまたは複数の第１のＰＨＹプロトコル送信モードを含み、１つまたは複数の第２の送信モードは、１つまたは複数の第２のＰＨＹプロトコル送信モードを含む。
【００８３】
一実施形態では、１つまたは複数の第１の送信モードのうちの少なくとも１つの送信モードは、通信プロトコルによって必須送信モードとなるように規定される。
【００８４】
ブロック３０８において、通信デバイスは、無線通信ネットワーク内の１つまたは複数の他の通信デバイスに通信フレームを送信して、無線通信ネットワーク内で送信するときに１つまたは複数の第１の送信モードを使用しないように指示する。
【００８５】
一実施形態では、通信フレームはＭＡＣプロトコルデータユニットであり、方法はさらに、ＭＡＣプロトコルデータユニットを含むＰＰＤＵを生成することを含む。一実施形態では、ブロック３０８で通信フレームを送信することは、ＰＰＤＵを送信することを含む。一実施形態では、ＭＡＣ処理ユニット１２６は、ＭＡＣプロトコルデータユニットを生成し、そのＭＡＣプロトコルデータユニットをＰＨＹ処理ユニット１３０に提供する。ＰＨＹ処理ユニット１３０は、ＭＡＣプロトコルデータユニットを含むようにＰＰＤＵを生成し、１つまたは複数のアンテナ１３８を介して送信するための、ＰＰＤＵに対応する１つまたは複数の送信信号を生成する。
【００８６】
図４は、一実施形態による、通信プロトコルによって規定された１つまたは複数の第１の送信モードを使用しないという指示の受信に応答して無線通信ネットワーク内で通信するための例示的な方法４００のフロー図である。いくつかの実施形態では、１つまたは複数の第１の送信モードは、通信プロトコルによって規定された１つまたは複数の第２のプロトコル送信モードと比較して、拡張範囲通信を提供する。
【００８７】
一実施形態では、図１のネットワークインタフェースデバイス１６２は方法４００を実施するように構成される。ただし、方法４００は、ネットワークインタフェースデバイス１６２の文脈で単に説明を目的として説明されており、他の実施形態では、方法４００は別の適切なデバイスによって実施される。
【００８８】
ブロック４０４において、第１の通信デバイス（例えば、ネットワークインタフェースデバイス１６２）は、第２の通信デバイス（例えば、ＡＰ１１４、他のクライアント局１５４など）から、通信ネットワーク内での送信の際は、１つまたは複数の第１の送信モードを使用すべきでないことを示す情報を含む通信フレームを受信する。
【００８９】
一実施形態では、通信プロトコルは、拡張範囲通信を提供するための拡張範囲ＰＰＤＵフォーマットを含む複数のＰＰＤＵフォーマットを規定し、１つまたは複数の第１の送信モードは拡張範囲ＰＰＤＵフォーマットを含む。
【００９０】
一実施形態では、通信プロトコルはＤＣＭモードを規定し、１つまたは複数の第１の送信モードはＤＣＭモードを含む。
【００９１】
一実施形態では、通信プロトコルは、複数の異なるデータレートに対応する複数のＭＣＳを規定し、１つまたは複数の第１の送信モードは、複数のＭＣＳのうちの１つまたは複数の第２のＭＣＳと比較して、ｉ）１つまたは複数のより低いデータレートに対応し、且つ、ｉｉ）より長距離の通信を容易にする、１つまたは複数の第１のＭＣＳを含む。
【００９２】
一実施形態では、通信ネットワーク内での送信の際に、１つまたは複数の第１の送信モードを使用すべきでないことを示す情報は、通信ネットワーク内でＭＡＣ制御フレームおよび／またはＭＡＣ管理フレームを送信するときに１つまたは複数の第１の送信モードを使用すべきではないことを示す。一実施形態では、通信ネットワーク内での送信の際に、１つまたは複数の第１の送信モードを使用すべきではないことを示す情報は、通信ネットワーク内でデータフレームを送信するときに１つまたは複数の第１の送信モードを使用すべきではないことを示す。一実施形態では、通信ネットワーク内での送信の際に、１つまたは複数の第１の送信モードを使用すべきではないことを示す情報は、通信ネットワーク内でいかなるタイプの通信フレームを送信するときにも１つまたは複数の第１の送信モードを使用すべきではないことを示す。
【００９３】
一実施形態では、１つまたは複数の第１の送信モードは、１つまたは複数の第１のＰＨＹプロトコル送信モードを含み、１つまたは複数の第２の送信モードは、１つまたは複数の第２のＰＨＹプロトコル送信モードを含む。
【００９４】
一実施形態では、１つまたは複数の第１の送信モードのうちの少なくとも１つの送信モードは、通信プロトコルによって必須送信モードとなるように規定される。
【００９５】
ブロック４０８において、第１の通信デバイスは、ブロック４０４における通信フレームの受信に応答して、無線通信ネットワーク内での送信の際に、１つまたは複数の第１の送信モードを使用することを控える。
【００９６】
一実施形態では、通信フレームはＭＡＣプロトコルデータユニットであり、ブロック４０４で通信フレームを受信することは、ＭＡＣプロトコルデータユニットを含むＰＰＤＵに対応する１つまたは複数の送信信号を（１つまたは複数のアンテナ１７８を介して）受信すること（例えば、ＰＨＹ処理ユニット１７０が受信する）を含む。一実施形態では、この方法は、ＰＨＹ処理ユニット１７０がＰＰＤＵを処理してＭＡＣプロトコルデータユニットを検索し、そのＭＡＣプロトコルデータユニットをＭＡＣ処理ユニット１６６に提供することも含む。一実施形態では、この方法は、ＭＡＣ処理ユニット１６６がＭＡＣプロトコルデータユニットを処理して、無線通信ネットワーク内で送信する際に、１つまたは複数の第１の送信モードが使用されるべきでないと判断することをさらに含む。一実施形態では、ブロック４０８は、１つまたは複数の第１の送信モードが使用されるべきでないと判断したことに応答して、ＭＡＣ処理ユニット１６６が、無線通信ネットワーク内での送信の際に、１つまたは複数の第１の送信モードが使用されないようにＰＨＹ処理ユニット１７０を制御することを含む。
【００９７】
いくつかの実施形態では、第１の通信デバイスは、無線通信ネットワーク内でいくつかのタイプの通信フレームを送信するときだけ第１の送信モードを使用することを控える（ブロック４０８）。例えば、いくつかの実施形態では、第１の通信デバイスは、送信機会期間（ｔｒａｎｓｍｉｔ  ｏｐｐｏｒｔｕｎｉｔｙ  ｐｅｒｉｏｄ：ＴＸＯＰ）中に無線通信媒体を第１の通信デバイスが制御をするＴＸＯＰを開始する制御フレームのような特定の種類の通信フレームを無線通信ネットワークにおいて送信するときに第１の送信モードを使用することを控えない。別の例として、一実施形態によれば、第１の通信デバイスは、ｉ）ブロック確認応答フレームまたはブロック確認応答要求フレームではなく、ｉｉ）ＴＸＯＰを開始する制御フレームを送信するときに第１送信モードの使用を控えない。
【００９８】
さらに別の例として、いくつかの実施形態によれば、第１の通信デバイスは、第１の送信モードを利用する特定の制御フレームに対する応答を送信するときに第１の送信モードの使用を控えない。例えば、第１の通信デバイスがＤＣＭを使用しないと判断し、第１の通信デバイスが、ｉ）応答フレームを引き出すとともに、ｉｉ）ＤＣＭを使用して送信された制御フレームを受信する場合、第１の通信デバイスはＤＣＭを使用して応答フレームを送信する。別の例として、第１の通信デバイスが拡張範囲ＰＰＤＵフォーマットを使用しないと判断し、第１の通信デバイスが、ｉ）応答フレームを引き出すとともに、ｉｉ）拡張範囲ＰＰＤＵフォーマットを使用して送信された制御フレームを受信する場合、第１の通信デバイスは拡張範囲ＰＰＤＵフォーマットを使用して応答フレームを送信する。
【００９９】
様々な実施形態において、方法は、以下の特徴のうちの１つ、または２つ以上の任意の適切な組み合わせを含む。
【０１００】
通信プロトコルによって規定された１つまたは複数の第２の送信モードと比較して、拡張範囲通信を提供する１つまたは複数の第１の送信モードを規定する当該通信プロトコルに従って動作する無線通信ネットワークにおける方法であって、当該方法は、当該無線通信ネットワーク内での送信の際に当該１つまたは複数の第１の送信モードを使用すべきではないことを示す情報を含む通信フレームを通信デバイスにおいて生成することと、当該無線通信ネットワーク内での送信の際に、当該１つまたは複数の第１の送信モードを使用しないように当該無線通信ネットワーク内の１つまたは複数の他の通信デバイスに指示するために当該通信デバイスによって当該通信フレームを送信することと、を含む。
【０１０１】
当該通信プロトコルは、拡張範囲通信を提供するための拡張範囲物理層（ＰＨＹ）プロトコルデータユニット（ＰＰＤＵ）フォーマットを含む複数のＰＰＤＵフォーマットを規定し、当該１つまたは複数の第１の送信モードは当該拡張範囲ＰＰＤＵフォーマットを含む、請求項１に記載の方法。
【０１０２】
当該通信プロトコルはデュアルキャリア変調（ＤＣＭ）モードを規定し、当該１つまたは複数の第１の送信モードはデュアルキャリア変調（ＤＣＭ）モードを含む、請求項１または請求項２のいずれか一項に記載の方法。
【０１０３】
当該通信プロトコルは、複数の異なるデータレートに対応する複数の変調符号化方式（ＭＣＳ）を規定し、当該１つまたは複数の第１の送信モードは、当該複数のＭＣＳのうちの１つまたは複数の第２のＭＣＳと比較して、ｉ）１つまたは複数のより低いデータレートに対応し、且つ、ｉｉ）より長距離の通信を容易にする、１つまたは複数の第１のＭＣＳを含む、請求項１〜請求項３のいずれか一項に記載の方法。
【０１０４】
当該通信プロトコルは、ｉ）複数の変調符号化方式（ＭＣＳ）を規定するとともに、ｉｉ）異なる数の空間ストリームの使用を可能にし、当該１つまたは複数の第１の送信モードは、１組または複数組のＭＣＳ／いくつかの空間ストリームの組み合わせを含み、当該１つまたは複数の第１の送信モードにおける当該ＭＣＳ／いくつかの空間ストリームの組み合わせ内の１つまたは複数の第１のＭＣＳは、所与の数の空間ストリームについて、当該複数のＭＣＳのうちの１つまたは複数の第２のＭＣＳと比較して、ｉ）１つまたは複数のより低いデータレートに対応し、且つ、ｉｉ）より長距離の通信を容易にする、請求項１〜請求項４のいずれか一項に記載の方法。
【０１０５】
当該通信ネットワーク内での送信の際に当該１つまたは複数の第１の送信モードを使用すべきでないことを示す当該情報は、当該通信ネットワーク内で少なくともいくつかのメディアアクセス制御層（ＭＡＣ）制御フレームおよび／またはＭＡＣ管理フレームを送信するときに当該１つまたは複数の第１の送信モードを使用すべきではないことを示す、請求項１〜請求項５のいずれか一項に記載の方法。
【０１０６】
当該通信ネットワーク内での送信の際に当該１つまたは複数の第１の送信モードを使用すべきではないことを示す当該情報は、当該通信ネットワーク内でデータフレームを送信するときに当該１つまたは複数の第１の送信モードを使用すべきではないことを示す、請求項１〜請求項５のいずれか一項に記載の方法。
【０１０７】
当該通信フレームはメディアアクセス制御層（ＭＡＣ）プロトコルデータユニットであり、当該方法は、ＭＡＣプロトコルデータユニットを含む物理層（ＰＨＹ）プロトコルデータユニットＰＰＤＵを当該通信デバイスにおいて生成することをさらに含み、当該通信フレームを送信することは、当該ＰＰＤＵを送信することを含む、請求項１〜請求項７のいずれか一項に記載の方法。
【０１０８】
当該１つまたは複数の第１の送信モードは、１つまたは複数の第１の物理層（ＰＨＹ）プロトコル送信モードを含み、当該１つまたは複数の第２の送信モードは、１つまたは複数の第２のＰＨＹプロトコル送信モードを含む、請求項１〜請求項８のいずれか一項に記載の方法。
【０１０９】
他の様々な実施形態において、装置は、以下の特徴のうちの１つ、または２つ以上の任意の適切な組み合わせを含む。
【０１１０】
通信デバイスに関連付けられたネットワークインタフェースデバイスを備えた装置であって、当該ネットワークインタフェースデバイスは、無線通信ネットワーク内での送信の際に、１つまたは複数の第１の送信モードを使用すべきではないことを示す情報を含む通信フレームを生成するように構成された１つまたは複数の集積回路（ＩＣ）を含み、当該無線通信ネットワークは、当該１つまたは複数の第１の送信モードおよび１つまたは複数の第２の送信モードを規定する通信プロトコルに従って動作し、当該１つまたは複数の第１の送信モードは、当該１つまたは複数の第２の送信モードと比較して拡張範囲通信を提供し、当該１つまたは複数のＩＣは、当該無線通信ネットワーク内での送信の際に当該１つまたは複数の第１の送信モードを使用しないように当該無線通信ネットワーク内の１つまたは複数の他の通信デバイスに指示するために当該通信フレームを送信するようにさらに構成されている、装置。
【０１１１】
当該通信プロトコルは、拡張範囲通信を提供するための拡張範囲物理層（ＰＨＹ）プロトコルデータユニット（ＰＰＤＵ）フォーマットを含む複数のＰＰＤＵフォーマットを規定し、当該１つまたは複数の第１の送信モードは当該拡張範囲ＰＰＤＵフォーマットを含む、請求項１０に記載の装置。
【０１１２】
当該通信プロトコルはデュアルキャリア変調（ＤＣＭ）モードを規定し、当該１つまたは複数の第１の送信モードはデュアルキャリア変調（ＤＣＭ）モードを含む、請求項１０または請求項１１のいずれか一項に記載の装置。
【０１１３】
当該通信プロトコルは、複数の異なるデータレートに対応する複数の変調符号化方式（ＭＣＳ）を規定し、当該１つまたは複数の第１の送信モードは、当該複数のＭＣＳのうちの１つまたは複数の第２のＭＣＳと比較して、ｉ）１つまたは複数のより低いデータレートに対応し、且つ、ｉｉ）より長距離の通信を容易にする、１つまたは複数の第１のＭＣＳを含む、請求項１０〜請求項１２のいずれか一項に記載の装置。
【０１１４】
当該通信プロトコルは、ｉ）複数の変調符号化方式（ＭＣＳ）を規定するとともに、ｉｉ）異なる数の空間ストリームの使用を可能にし、当該１つまたは複数の第１の送信モードは、１組または複数組のＭＣＳ／いくつかの空間ストリームの組み合わせを含み、当該１つまたは複数の第１の送信モードにおける当該ＭＣＳ／いくつかの空間ストリームの組み合わせ内の１つまたは複数の第１のＭＣＳは、所与の数の空間ストリームについて、当該複数のＭＣＳのうちの１つまたは複数の第２のＭＣＳと比較して、ｉ）１つまたは複数のより低いデータレートに対応し、且つ、ｉｉ）より長距離の通信を容易にする、請求項１０〜請求項１３のいずれか一項に記載の装置。
【０１１５】
当該通信ネットワーク内での送信の際に当該１つまたは複数の第１の送信モードを使用すべきでないことを示す当該情報は、当該通信ネットワーク内で少なくともいくつかのメディアアクセス制御層（ＭＡＣ）制御フレームおよび／またはＭＡＣ管理フレームを送信するときに当該１つまたは複数の第１の送信モードを使用すべきではないことを示す、請求項１０〜請求項１４のいずれか一項に記載の装置。
【０１１６】
当該通信ネットワーク内での送信の際に当該１つまたは複数の第１の送信モードを使用すべきではないことを示す当該情報は、当該通信ネットワーク内でデータフレームを送信するときに当該１つまたは複数の第１の送信モードを使用すべきではないことを示す、請求項１０〜請求項１４のいずれか一項に記載の装置。
【０１１７】
当該通信フレームはメディアアクセス制御層（ＭＡＣ）プロトコルデータユニットであり、当該１つまたは複数のＩＣは、当該ＭＡＣプロトコルデータユニットを含む物理層（ＰＨＹ）プロトコルデータユニットＰＰＤＵを生成し、且つ、当該ＰＰＤＵを送信する、ようにさらに構成されている、請求項１０〜請求項１６のいずれか一項に記載の装置。
【０１１８】
当該１つまたは複数の第１の送信モードは、１つまたは複数の第１の物理層（ＰＨＹ）プロトコル送信モードを含み、当該１つまたは複数の第２の送信モードは、１つまたは複数の第２のＰＨＹプロトコル送信モードを含む、請求項１０〜請求項１７のいずれか一項に記載の装置。
【０１１９】
当該ネットワークインタフェースデバイスは、当該１つまたは複数のＩＣ装置上に実装された物理層（ＰＨＹ）プロセッサと、当該ＰＨＹプロセッサに結合されるとともに、当該１つまたは複数のＩＣデバイス上に実装された媒体アクセス制御（ＭＡＣ）プロセッサと、を備えている、請求項１０〜請求項１８のいずれか一項に記載の装置。
【０１２０】
当該ＰＨＹプロセッサは、１つまたは複数のトランシーバを備えている、請求項１９に記載の装置。
【０１２１】
当該１つまたは複数のトランシーバに結合されている１つまたは複数のアンテナをさらに備えている、請求項２０に記載の装置。
【０１２２】
ハードウェア、ファームウェア命令を実行するプロセッサ、ソフトウェア命令を実行するプロセッサ、またはそれらの任意の組み合わせを利用して、上記の様々なブロック、動作、および技法のうちの少なくともいくつかを実施することができる。ソフトウェアまたはファームウェア命令を実行するプロセッサを利用して実施される場合、ソフトウェアまたはファームウェア命令は、磁気ディスク、光ディスク、または他の記憶媒体、ＲＡＭまたはＲＯＭまたはフラッシュメモリ、プロセッサ、ハードディスクドライブ、光ディスクドライブ、テープドライブなどの任意のコンピュータ可読メモリに格納され得る。ソフトウェアまたはファームウェア命令は、１つまたは複数のプロセッサによって実行された場合に、１つまたは複数のプロセッサに様々な動作を実行させる機械可読命令を含み得る。
【０１２３】
ハードウェアで実施される場合、ハードウェアは、個別部品、集積回路、特定用途向け集積回路（ＡＳＩＣ）、プログラム可能論理回路（ＰＬＤ）などのうち１つまたは複数を含み得る。
【０１２４】
本発明を例示することのみを目的とし、本発明を限定することを意図しない特定の実施例を参照して発明を説明したが、本発明の範囲から逸脱することなく開示された実施態様に対して変更、追加および／または削除を行うことができる。
【図１】
2020504564.tif 000004
【図２Ａ】
2020504564.tif 000005
【図２Ｂ】
2020504564.tif 000006
【図３】
2020504564.tif 000007
【図４】
2020504564.tif 000008
【国際調査報告】
2020504564.tif 000009
2020504564.tif 000010
2020504564.tif 000011